(57)【要約】【課題】中空筒状構造物の内側空洞部を囲む内壁面に整合するように伸びる筒状の補強体の構造が簡単になる。【解決手段】補強体１は、コンクリート電柱等の中空筒状構造物１１の内側空洞部１２を囲む内壁面１３に押し付けられるか又は接着されるように、高強度繊維製の生地により、中空筒状構造物１１の内壁面１３の周長以上の周長の筒状に構成され、当該筒状の一部が結合部材２で結合され、内壁面１３の周長以下の周長の筒状部３を有する造形になっている。補強体１の筒状部３が内壁面１３に押し付けられるか又は接着される場合に、結合部材２による結合が解除された状態になるものであれば、結合部材２としては糸、接着剤、結束バンド、ステープル等が適用可能である。結合部材２による結合箇所は、補強体１の周方向又は上下端方向で１箇所もしくは複数個所が考えられる。【選択図】図２
2016098526.tif 000002
【特許請求の範囲】
【請求項１】
中空筒状構造物の内部補強として中空筒状構造物の内側空洞部を囲む内壁面に押し付けられるか又は接着される筒状になるように構成された中空筒状構造物用補強体であって、筒状の一部が中空筒状構造物の内側空洞部を囲む内壁面に押し付けられるか又は接着される場合に結合が解除された状態になる結合部材で結合されたことを特徴とする中空筒状構造物用補強体。
【請求項２】
中空筒状構造物の内部補強として中空筒状構造物の内側空洞部を囲む内壁面に押し付けられるか又は接着される筒状になるように構成された中空筒状構造物用補強体であって、筒状の一部が中空筒状構造物の内側空洞部を囲む内壁面に押し付けられるか又は接着される場合に伸びない縦糸と伸びる横糸とからなる織布により上記筒状になるように構成されたことを特徴とする中空筒状構造物用補強体。
【発明の詳細な説明】
【技術分野】
【０００１】
この発明は、コンクリート電柱等の中空筒状構造物の内部補強として中空筒状構造物の内側空洞部を囲む内壁面に押し付けられるか又は接着される筒状に構成された中空筒状構造物用補強体に関する。以下、この明細書では、中空筒状構造物用補強体を補強体と表現する。
【背景技術】
【０００２】
コンクリート電柱等の中空筒状構造物の内部補強として中空筒状構造物の内側空洞部を囲む内壁面に押し付けられるか又は接着される筒状に構成された補強体は、特許文献１，２で開示されている。特許文献１，２で開示された補強体は、高強度繊維からなる織布を筒状に丸め、当該筒状に丸められた織布の互いに向き合う両端部が伸縮性繊維帯で連結されて筒体の周方向に伸びる構成になっている（特許文献１の段落００２６及び図６、特許文献２の段落００１９及び図９Ｂ参照）。
【０００３】
しかしながら、特許文献１，２で開示され補強体は、伸縮性繊維帯が補強体の周方向に伸びにくく、筒状の補強体が内壁面に整合するように伸びる構造が複雑である。
【先行技術文献】
【特許文献】
【０００４】
【特許文献１】特許５２９５０７５号公報
【特許文献２】特許４８３２４７５号公報
【発明の概要】
【発明が解決しようとする課題】
【０００５】
この発明は、上記背景技術に鑑みてなされたものであり、中空筒状構造物の内側空洞部を囲む内壁面に整合するように伸びる補強体の構造を簡単にすることを目的とする。
【課題を解決するための手段】
【０００６】
この発明は、中空筒状構造物の内部補強として中空筒状構造物の内側空洞部を囲む内壁面に押し付けられるか又は接着される筒状になるように構成された中空筒状構造物用補強体であって、筒状の一部が中空筒状構造物の内側空洞部を囲む内壁面に押し付けられるか又は接着される場合に結合が解除された状態になる結合部材で結合されたことを特徴とするか、又は、筒状の一部が中空筒状構造物の内側空洞部を囲む内壁面に押し付けられるか又は接着される場合に伸びない縦糸と伸びる横糸とからなる織布により上記筒状になるように構成されたことを特徴とする。
【発明の効果】
【０００７】
この発明は、筒状の一部が中空筒状構造物の内側空洞部を囲む内壁面に押し付けられるか又は接着される場合に結合が解除された状態になる結合部材で結合されたか、又は、状の一部が中空筒状構造物の内側空洞部を囲む内壁面に押し付けられるか又は接着される場合に伸びない縦糸と伸びる横糸とからなる織布により上記筒状になるように構成されたことにより、中空筒状構造物の内側空洞部を囲む内壁面に整合するように筒状の補強体の伸びる構造が簡単である。
【図面の簡単な説明】
【０００８】
【図１】発明を実施するための形態１に係る補強体を示した正面図に類似した模式図。
【図２】Ａ図は発明を実施するための形態１に係る補強体が中空筒状構造物の内部に挿入された状態を示した平面図に類似する断面図、Ｂ図は発明を実施するための形態１に係る補強体が中空筒状構造物の内側空洞部を囲む内壁面に押し付けられるか又は接着された状態を示した平面図に類似する断面図。
【図３】発明を実施するための形態２に係る補強体を示した平面図に相当する模式図。
【図４】発明を実施するための形態３に係る補強体を示した平面図に相当する模式図。
【図５】発明を実施するための形態４に係る補強体を示した平面図に相当する模式図。
【図６】発明を実施するための形態５に係る補強体を示した正面図に相当する模式図。
【発明を実施するための形態】
【０００９】
図１を参照し、発明を実施するための形態１に係る補強体１について説明する。図１に示した補強体１は、中空筒状構造物１１の内部補強として中空筒状構造物１１の内側空洞部１２を囲む内壁面１３に押し付けられるか又は接着されるように、高強度繊維製の織布又は不織布からなる一枚もしくは複数枚の生地により、中空筒状構造物１１の内側空洞部１２を囲む内壁面１３の周長以上の周長の筒状に構成されている。補強体１は、筒状の外形よりも上下方向の寸法が大きな長尺になっている。補強体１を構成する高強度繊維としては、アラミド繊維、ＰＢＯ（ポリパラフェニレンベンズオキサゾール）繊維、ポリエチレン繊維、炭素繊維、ガラス繊維等が適用可能である。
【００１０】
補強体１は、筒状の一部が結合部材２で結合され、内側空洞部１２を囲む内壁面１３の周長以下の周長の筒状部３を有する造形になっている。補強体１の筒状部３が中空筒状構造物１１の内側空洞部１２を囲む内壁面１３に押し付けられるか又は接着される場合に、結合部材２が切れるか又は伸びることにより、上記結合部材２による結合が解除された状態になるものであれば、結合部材２としては糸、接着剤、結束バンド、ステープル等が適用可能である。結合部材２による結合箇所は、補強体１の周方向又は上下端方向で１箇所もしくは複数個所が考えられる。
【００１１】
尚、補強体１の筒状としては、上下端部の両方が開口した態様だけでなく、筒状部３が中空筒状構造物１１の内側空洞部１２を囲む内壁面１３に押し付けられるか又は接着されることを妨げられることがないように上下端部の一方又は両方が閉じられた態様でも適用可能である。
【００１２】
図２を参照し、発明を実施するための形態１に係る補強体１が中空筒状構造物１１の内側空洞部１２を囲む内壁面１３に押し付けられるか又は接着される場合について説明する。図２のＡ図に示したように、補強体１が中空筒状構造物１１の側壁部に形成された図示のされていない作業孔部又は中空筒状構造物１１の頭部に形成された図示のされていない末口部から中空筒状構造物１１の内側空洞部１２に挿入される。
【００１３】
その後、図２のＢ図に示したように、補強体１の筒状部３の内部にモルタル等の液状硬化材が注入されることにより、補強体１の筒状部３が膨張して図２のＡ図に示した結合部材２による結合が解除され、補強体１が中空筒状構造物１１の内側空洞部１２を囲む内壁面１３に整合するように周方向に伸びて、補強体１が中空筒状構造物１１の内側空洞部１２を囲む内壁面１３に押し付けられるか又は接着される。よって、中空筒状構造物１１の内側空洞部１２の大小に合わせて補強体１を筒状に構成する必要がなくなる。
【００１４】
例えば、コンクリート製の電柱は、地面に埋設される下端部から上端部に行くに従って徐々に細い筒状になっている。このような電柱が中空筒状構造物１１である場合、従来の補強体は電柱の内側空洞部１２に相当する内側空洞部の形状に合わせた下端部から上端部に行くに従って徐々に細い筒状になっているのが一般的である。このような形状の従来の補強体が電柱の内側空洞部を囲む内壁面１３に相当する内壁面に設置される設計値の位置よりも下側に施工された場合、従来の補強体は電柱の内壁面に届かず張り付かないことになる。その対策として、従来の補強体の周長を電柱における内壁面の周長よりもあらかじめ大きくして形成して置くことも考えられるが、その場合、従来の補強体が電柱の内壁面に届いた状態において従来の補強体に必ず折り皺が生じ、折り皺の部分が従来の補強体の強度に悪影響を与える可能性があることから、皺も発生し難く、電柱内の形状に合わせて電柱の内壁面に密着させることが必要になる。
【００１５】
これに対し、図２のＡ図に示した中空筒状構造物１１の内側空洞部１２を囲む内壁面１３の周長以上の周長の筒状に構成された補強体１の周方向の一部が結合部材２で結合され、補強体１が内側空洞部１２を囲む内壁面１３の周長以下の周長の筒状部３を有する造形になっている。よって、図２のＢ図に示したように、補強体１の筒状部３の内部にモルタル等の液状硬化材が注入されることにより、補強体１の筒状部３が膨張して図２のＡ図における結合部材２による結合が解除され、補強体１が中空筒状構造物１１の内側空洞部１２を囲む内壁面１３に整合するように周方向に伸びて、補強体１が中空筒状構造物１１の内側空洞部１２を囲む内壁面１３に密着される。
【００１６】
尚、補強体１が中空筒状構造物１１の内側空洞部１２に挿入されるよりも前の時期において、補強体１の筒状部３に気密性能及び防水性能を有する図示のされていない内側風船部を備え、この内側風船部にモルタル等の液状硬化材又は加圧空気を注入することにより、内側風船部が膨張して補強部の筒状部３を全体的に押し広げて結合部材による結合を解除し、補強体１が中空筒状構造物１１の内側空洞部１２を囲む内壁面１３に押し付けられるか又は接着されるようにすることも適用可能である。
【００１７】
又、補強体１が中空筒状構造物１１の内側空洞部１２を囲む内壁面１３に押し付けられるか又は接着される場合に図示のされていない接着剤で接着することも適用可能である。このように接着剤が使用される場合は、補強体１が中空筒状構造物１１の内側空洞部１２に挿入されるよりも前の時期又は挿入される際に接着剤が補強体１の外側面又は中空筒状構造物１１の内側空洞部１２を囲む内壁面１３に付けられる。
【００１８】
接着剤が補強体１の外側面に付けられる場合、上記補強体１の筒状部３に気密性能及び防水性能を有する図示のされていない内側風船部を備えた補強体１が気密性能及び防水性能を有する図示のされていない外側風船部で覆われ、外側風船部の内部に図示のされていない接着剤が注入され、当該接着剤が補強体１に付けられた態様でも適用可能である。
【００１９】
図３を参照し、発明を実施するための形態２に係る補強体１について説明する。図３を参照した説明において、中空筒状構造物１１、内側空洞部１２、内壁面１３については、図１，２を参照下さい。図３に示した補強体１は、中空筒状構造物１１の内部補強として中空筒状構造物１１の内側空洞部１２を囲む内壁面１３に押し付けられるか又は接着されるように、高強度繊維製の織布又は不織布からなる２枚の生地４，５が筒状部３の側で互い接触するように重ね合わされ、当該重ね合わされた２枚の生地４，５の左右の両端部が強結合部材６により結合されて、中空筒状構造物１１の内側空洞部１２を囲む内壁面１３の周長以上の周長の筒状に構成されている。補強体１は、筒状の外形よりも上下方向の寸法が大きな長尺になっている。
【００２０】
補強体１が中空筒状構造物１１の内側空洞部１２を囲む内壁面１３に押し付けられるか又は接着される場合に、強結合部材６による結合が解除されることがないものであれば、強結合部材６としては糸、接着剤、結束バンド、ステープル等が適用可能である。この補強体１は、筒状の一部が結合部材２で結合され、中空筒状構造物１１の内側空洞部１２を囲む内壁面１３の周長以下の周長の筒状部３を有する造形になっている。
【００２１】
よって、補強体１が中空筒状構造物１１の側壁部に形成された図示のされていない作業孔部又は中空筒状構造物１１の頭部に形成された図示のされていない末口部から中空筒状構造物１１の内側空洞部１２に挿入された後、補強体１の筒状部３の内部にモルタル等の液状硬化材又は加圧空気が注入されることにより、補強体１の筒状部３が膨張して結合部材２による結合が解除され、補強体１が中空筒状構造物１１の内側空洞部１２を囲む内壁面１３に整合するように周方向に伸びて、補強体１が中空筒状構造物１１の内側空洞部１２を囲む内壁面１３に押し付けられるか又は接着される。
【００２２】
図３において、生地４，５の一方又は両方が左右方向又は上下方向の一方又は両方において強結合部材６に相当する強結合部材で結合された複数枚の生地から構成されても適用可能である。
【００２３】
図４を参照し、発明を実施するための形態３に係る補強体１について説明する。図４を参照した説明において、中空筒状構造物１１、内側空洞部１２、内壁面１３については、図１，２を参照下さい。図４に示した補強体１は、中空筒状構造物１１の内部補強として中空筒状構造物１１の内側空洞部１２を囲む内壁面１３に押し付けられるか又は接着されるように、高強度繊維製の織布又は不織布からなる１枚の生地７が２つに折り曲げられて筒状部３の側で互い接触するように重ね合わされ、当該重ね合わされた１枚の生地７の重ね合わされた端部が強結合部材６により結合されて、中空筒状構造物１１の内側空洞部１２を囲む内壁面１３の周長以上の周長の筒状に構成されている。補強体１は、筒状の外形よりも上下方向の寸法が大きな長尺になっている。補強体１は、筒状の一部が結合部材２で結合され、中空筒状構造物１１の内側空洞部１２を囲む内壁面１３の周長以下の周長の筒状部３を有する造形になっている。
【００２４】
よって、補強体１が中空筒状構造物１１の側壁部に形成された図示のされていない作業孔部又は中空筒状構造物１１の頭部に形成された図示のされていない末口部から中空筒状構造物１１の内側空洞部１２に挿入された後、補強体１の筒状部３の内部にモルタル等の液状硬化材又は加圧空気が注入されることにより、補強体１の筒状部３が膨張して結合部材２による結合が解除され、補強体１が中空筒状構造物１１の内側空洞部１２を囲む内壁面１３に整合するように周方向に伸びて、補強体１が中空筒状構造物１１の内側空洞部１２を囲む内壁面１３に押し付けられるか又は接着される。尚、生地７が２つに折り曲げられ側における結合部材２を省いても適用可能である。
【００２５】
図４において、生地７が左右方向又は上下方向の一方又は両方において強結合部材６に相当する強結合部材で結合された複数枚の生地から構成されても適用可能である。
【００２６】
図５を参照し、発明を実施するための形態４に係る補強体１について説明する。図５を参照した説明において、中空筒状構造物１１、内側空洞部１２、内壁面１３については、図１，２を参照下さい。図５に示した補強体１は、中空筒状構造物１１の内部補強として中空筒状構造物１１の内側空洞部１２を囲む内壁面１３に押し付けられるか又は接着されるように、高強度繊維製の織布又は不織布からなる１枚の生地７が２つに折り曲げられて筒状部３の側で互い接触するように重ね合わされ、当該重ね合わされた１枚の生地７の重ね合わされた端部が強結合部材６により結合されて、中空筒状構造物１１の内側空洞部１２を囲む内壁面１３の周長以上の周長の筒状に構成されている。補強体１は、筒状の外形よりも上下方向の寸法が大きな長尺になっている。補強体１は、筒状の周方向の複数個所が結合部材２で結合され、中空筒状構造物１１の内側空洞部１２を囲む内壁面１３の周長以下の周長の筒状部３を有する造形になっている。
【００２７】
よって、補強体１が中空筒状構造物１１の側壁部に形成された図示のされていない作業孔部又は中空筒状構造物１１の頭部に形成された図示のされていない末口部から中空筒状構造物１１の内側空洞部１２に挿入された後、補強体１の筒状部３の内部にモルタル等の液状硬化材又は加圧空気が注入されることにより、補強体１の筒状部３が膨張して結合部材２による結合が解除され、補強体１が中空筒状構造物１１の内側空洞部１２を囲む内壁面１３に整合するように周方向に伸びて、補強体１が中空筒状構造物１１の内側空洞部１２を囲む内壁面１３に押し付けられるか又は接着される。
【００２８】
図５において、生地７が左右方向又は上下方向の一方又は両方において強結合部材６に相当する強結合部材で結合された複数枚の生地から構成されても適用可能である。
【００２９】
図６を参照し、発明を実施するための形態５に係る補強体１について説明する。図６を参照した説明において、中空筒状構造物１１、内側空洞部１２、内壁面１３については、図１，２を参照下さい。図６に示した補強体１は、中空筒状構造物１１の内部補強として中空筒状構造物１１の内側空洞部１２を囲む内壁面１３に押し付けられるか又は接着されるように、高強度繊維の伸びない縦糸８と高強度繊維でない伸びる横糸９とからなる織布により、空筒状構造物の内側空洞部１２を囲む内壁面１３の周長以下の周長の筒状に構成されている。補強体１は、筒状の外形よりも上下方向の寸法が大きな長尺になっている。
【００３０】
よって、補強体１が中空筒状構造物１１の側壁部に形成された図示のされていない作業孔部又は中空筒状構造物１１の頭部に形成された図示のされていない末口部から中空筒状構造物１１の内側空洞部１２に挿入された後、補強体１の筒状の内部にモルタル等の液状硬化材又は加圧空気が注入されることにより、補強体１の横糸９が膨張して、補強体１が中空筒状構造物１１の内側空洞部１２を囲む内壁面１３に整合するように周方向に伸びて、補強体１が中空筒状構造物１１の内側空洞部１２を囲む内壁面１３に押し付けられるか又は接着される。
【符号の説明】
【００３１】
１    補強体
２    結合部材
３    筒状部
４    生地
５    生地
６    強結合部材
７    生地
８    高強度繊維の伸びない縦糸
９    高強度繊維でない伸びる横糸
１１  中空筒状構造物
１２  内側空洞部
１３  内壁面
【図１】
2016098526.tif 000003
【図２】
2016098526.tif 000004
【図３】
2016098526.tif 000005
【図４】
2016098526.tif 000006
【図５】
2016098526.tif 000007
【図６】
2016098526.tif 000008